(57)【要約】  【課題】デジタルフォトプリンタに用いられるデジタルの画像処理方法であって、フィルムに撮影された画像等に応じて最適な画像処理条件を設定することができ、様々なシーンに対応して、高画質な画像が再生されたプリントを安定して出力することができる画像処理方法および画像処理装置を提供する。  【解決手段】本発明の画像処理方法においては、画像データ供給源から供給された画像を用いて画像処理条件を設定するに際し、画像にシーン情報を付与しておき、画像の画像特徴量を算出し、画像の前記画像特徴量を用いてシーン情報に関する分類を行い、画像特徴量による分類に基づくシーン情報に応じて画像処理条件を設定する。【選択図】図１
2005025779.tif 000002
【特許請求の範囲】
【請求項１】
画像データ供給源から供給された画像を用いて画像処理条件を設定するに際し、前記画像の画像特徴量を算出し、前記画像の前記画像特徴量を用いてシーン情報に関する分類を行い、前記画像特徴量による分類に基づくシーン情報に応じて画像処理条件を設定することを特徴とする画像処理方法。
【請求項２】
前記画像処理条件は、シーン情報に応じた画像処理を実行する複数の画像処理アルゴリズムの組み合わせ、または画像処理アルゴリズムの重み付けが決定されたものである請求項１に記載の画像処理方法。
【請求項３】
画像データ供給源から供給された画像を用いて画像処理条件を設定する画像処理装置であって、
前記画像に、前記画像の画像特徴量に基づくシーン情報を付与する書込手段と、
前記画像の画像特徴量を算出するとともに、前記書込手段により前記画像に前記画像特徴量に基づくシーン情報を付与させ、前記画像の画像特徴量を用いてシーン情報に関する分類を行い、前記画像特徴量による分類に基づくシーン情報に応じて画像処理条件を設定する条件設定部とを有することを特徴とする画像処理装置。
【発明の詳細な説明】
【技術分野】
【０００１】
本発明は、フィルムの画像を光電的に読み取り、この画像が再現されたプリント（写真）を得るデジタルフォトプリンタ等に利用される、画像処理の技術分野に属する。
【背景技術】
【０００２】
現在、ネガフィルム、リバーサルフィルム等の写真フィルム（以下、フィルムとする）に撮影された画像の感光材料（印画紙）への焼き付けは、フィルムの画像を感光材料に投影して感光材料を面露光する、いわゆる直接露光（アナログ露光）が主流である。
【０００３】
これに対し、近年では、デジタル露光を利用する焼付装置、すなわち、フィルムに記録された画像を光電的に読み取って、読み取った画像をデジタル信号とした後、種々の画像処理を施して記録用の画像データとし、この画像データに応じて変調した記録光によって感光材料を走査露光して画像（潜像）を記録し、（仕上り）プリントとするデジタルフォトプリンタが実用化された。
デジタルフォトプリンタでは、画像をデジタルの画像データとして画像処理を行うことができるので、複数画像の合成や画像分割、さらには文字の合成等も画像データ処理によって行うことができ、用途に応じて自由に編集／処理したプリントも出力可能である。しかも、デジタルフォトプリンタによれば、画像をプリント（写真）として出力するのみならず、画像データをコンピュータ等に供給したり、フロッピーディスク等の記録媒体に保存しておくこともできるので、画像データを、写真以外の様々な用途に利用することができる。
【０００４】
このようなデジタルフォトプリンタは、基本的に、フィルムに記録された画像を光電的に読み取るスキャナ（画像読取装置）と、読み取った画像を画像処理して出力用の画像データとする画像処理装置と、画像入力装置から出力された画像データに応じて感光材料を走査露光して潜像を記録し、露光済の感光材料に現像処理を施してプリントとするプリンタ（プリンタプロセサ）とを有して構成される。
【０００５】
スキャナでは、光源から射出された読取光をフィルムに入射して、フィルムに撮影された画像を担持する投影光を得て、この投影光を結像レンズによってＣＣＤセンサ等のイメージセンサに結像して光電変換することにより画像を読み取り、必要に応じて各種の画像処理を施した後に、フィルムの画像データとして画像処理装置に送る。
画像処理装置は、スキャナによって読み取られた画像データから画像処理条件を設定して、設定した条件に応じた画像処理を画像データに施し、画像記録のための出力画像データ（露光条件）としてプリンタに送る。
プリンタでは、例えば、光ビーム走査露光を利用する装置であれば、画像処理装置から送られた画像データに応じて光ビームを変調して、この光ビームを主走査方向に偏向すると共に、主走査方向と直交する副走査方向に感光材料を搬送することにより、画像を担持する光ビームによって感光材料を露光（焼付け）して潜像を形成し、次いで、プロセサにおいて感光材料に応じた現像処理等を施して、フィルムに撮影された画像が再生されたプリント（写真）とする。
【発明の開示】
【発明が解決しようとする課題】
【０００６】
前述のように、デジタルフォトプリンタでは、フィルムの画像を光電的に読み取って、デジタルの画像データ（濃度データ）とし、この画像データを解析することによって画像の状態を把握して、その画像に応じた画像処理条件を設定し、この画像処理条件に応じて画像の画像データを処理することによって、焼付時の露光条件すなわち出力用の画像データを得る。
そのため、逆光やストロボ撮影等に起因する画像の飛びやツブレの補正、シャープネス（鮮鋭化）処理、カラーあるいは濃度フェリアの補正等を好適に行って、従来の直接露光では得られなかった高画質な画像が再生された高品位なプリントを得ることができる。
【０００７】
しかしながら、フィルムに撮影される画像は、人物、風景、花等、様々なシーンがある。そのため、画像を光電的に読み取って得られた画像データを解析して画像処理条件を設定しても、必ずしも、その画像に対して最適な画像処理条件が得られない場合もある。
【０００８】
本発明の目的は、デジタルフォトプリンタに用いられるデジタルの画像処理方法であって、フィルムに撮影された画像等に応じて最適な画像処理条件を設定することができ、様々なシーンに対応して、高画質な画像が再生されたプリントを安定して出力することができる画像処理方法および画像処理装置を提供することにある。
【課題を解決するための手段】
【０００９】
上記目的を達成するために、本発明の第１の態様は、画像データ供給源から供給された画像を用いて画像処理条件を設定するに際し、前記画像の画像特徴量を算出し、前記画像の前記画像特徴量を用いてシーン情報に関する分類を行い、前記画像特徴量による分類に基づくシーン情報に応じて画像処理条件を設定することを特徴とする画像処理方法を提供するものである。
【００１０】
また、本発明の第１の態様の画像処理方法においては、前記画像処理条件は、シーン情報に応じた画像処理を実行する複数の画像処理アルゴリズムの組み合わせ、または画像処理アルゴリズムの重み付けが決定されたものであることが好ましい。
【００１１】
また、本発明の第２の態様は、画像データ供給源から供給された画像を用いて画像処理条件を設定する画像処理装置であって、前記画像に、前記画像の画像特徴量に基づくシーン情報を付与する書込手段と、前記画像の画像特徴量を算出するとともに、前記書込手段により前記画像に前記画像特徴量に基づくシーン情報を付与させ、前記画像の画像特徴量を用いてシーン情報に関する分類を行い、前記画像特徴量による分類に基づくシーン情報に応じて画像処理条件を設定する条件設定部とを有することを特徴とする画像処理装置を提供するものである。
【００１２】
さらに、本発明の第３の態様は、画像データ供給源から供給された画像を用いて画像処理条件を設定するに際し、前記画像にシーン情報を付与しておき、前記画像と共に前記シーン情報を取得して、このシーン情報に応じて画像処理条件を設定することを特徴とする画像処理方法を提供するものである。
【００１３】
本発明の第３の態様の画像処理方法においては、前記画像のシーン情報が、フィルムに磁気的もしくは光学的に記録されたものであることが好ましい。
【００１４】
さらにまた、本発明の第４の態様は、画像データ供給源から供給された画像を用いて、複数の画像を１枚のプリントに記録したインデックスプリントを作成するに際し、前記画像にシーン情報を付与しておき、前記シーン情報に応じて画像の配列を設定することを特徴とする画像処理方法を提供するものである。
【発明の効果】
【００１５】
本発明の画像処理方法および画像処理装置によれば、デジタルフォトプリンタ等に利用されるデジタルの画像処理において、フィルムに撮影された画像等の画像のシーンに応じた最適な画像処理条件を設定して、画像データの処理を行うことができるので、各種のシーンで最適な画像が再生された高品位なプリントを作成することができる。
【発明を実施するための最良の形態】
【００１６】
以下、本発明の画像処理方法および画像処理装置について、添付の図面に示される好適実施例を基に詳細に説明する。
【００１７】
図１に、本発明の画像処理方法を利用するデジタルフォトプリンタの一例のブロック図が示される。
図１に示されるデジタルフォトプリンタ（以下、フォトプリンタ１０とする）は、基本的に、フィルムＦに撮影された画像を光電的に読み取るスキャナ（画像読取装置）１２と、読み取られた画像データ（画像情報）の画像処理やフォトプリンタ１０全体の操作および制御等を行う画像処理装置１４と、画像処理装置１４から出力された画像データに応じて変調した光ビームで感光材料（印画紙）を画像露光し、現像処理して（仕上り）プリントとして出力するプリンタ１６とを有して構成される。
また、画像処理装置１４には、様々な条件の入力（設定）、処理の選択や指示、色／濃度補正などの指示等を入力するためのキーボード１８ａおよびマウス１８ｂを有する操作系１８と、スキャナ１２で読み取られた画像、各種の操作指示、条件の設定／登録画面等を表示するディスプレイ２０が接続される。
【００１８】
なお、本発明の画像処理方法は、このようなデジタルフォトプリンタのみならず、フィルムに撮影された画像をＣＣＤセンサ等で光電的に読み取って、得られた画像データから絞り量などの露光光量や色フィルタ挿入量などの色調整量等の画像処理条件（露光条件）を設定し、この画像処理条件に応じて、フィルムの投影光で感光材料を露光する、従来の直接露光によるアナログのフォトプリンタにも好適に利用可能である。
【００１９】
スキャナ１２は、フィルムＦ等に撮影された画像を１コマずつ光電的に読み取る装置で、光源２２と、可変絞り２４と、フィルムＦに入射する読取光をフィルムＦの面方向で均一にする拡散ボックス２８と、結像レンズユニット３２と、Ｒ（赤）、Ｇ（緑）およびＢ（青）の各画像読取に対応するラインＣＣＤセンサを有するイメージセンサ３４と、アンプ（増幅器）３６と、Ａ／Ｄ（アナログ／デジタル）変換器３８とを有して構成される。
【００２０】
また、フォトプリンタ１０においては、新写真システム(Advanced Photo System）や１３５サイズのネガ（あるいはリバーサル）フィルム等のフィルムの種類やサイズ、ストリップスやスライド等のフィルムの形態等に応じて、スキャナ１２の本体に装着自在な専用のキャリアが用意されており、キャリアを交換することにより、各種のフィルムや処理に対応することができる。フィルムに撮影され、プリント作成に供される画像（コマ）は、このキャリアによって所定の読取位置に搬送される。
このようなスキャナ１２において、フィルムＦに撮影された画像を読み取る際には、光源２２から射出され、可変絞り２４によって光量調整された読取光が、キャリアによって所定の読取位置に位置されたフィルムＦに入射して、透過することにより、フィルムＦに撮影された画像を担持する投影光を得る。
【００２１】
図示例のキャリア３０は、新写真システムのフィルムＦ（カートリッジ）に対応するもので、図２（Ａ）に模式的に示されるように、所定の読取位置にフィルムＦを位置しつつ、イメージセンサ３４のラインＣＣＤセンサの延在方向（主走査方向）と直交する副走査方向に、フィルムＦの長手方向を一致して搬送する、読取位置を副走査方向に挟んで配置される搬送ローラ対３０ａおよび３０ｂと、フィルムＦの投影光を所定のスリット状に規制する、読取位置に対応して位置する主走査方向に延在するスリット４０ａを有するマスク４０とを有する。
フィルムＦは、このキャリア３０によって読取位置に位置されて副走査方向に搬送されつつ、読取光を入射される。これにより、結果的にフィルムＦが主走査方向に延在するスリット４０ａによって２次元的にスリット走査され、フィルムＦに撮影された各コマの画像が読み取られる。
【００２２】
ここで、周知のように、新写真システムのフィルムには、磁気記録媒体が形成され、各種の情報が、あらかじめ磁気記録媒体に記録されており、さらに、カメラ、現像装置、キャリア３０に配置される磁気情報の記録および読取手段によって、磁気記録媒体に各種の情報が書き込まれ、また、読み出される。
【００２３】
詳しくは、図３に概念的に示されるように、新写真システムのフィルムＦには、カートリッジからの引き出し方向（図中矢印Ａ方向）の先頭コマＧ１より先端側の所定領域、各コマＧに対応する領域、および図示しない後端コマより後端側の所定領域の、幅方向（主走査方向）の両端部近傍に、長手方向（副走査方向）に延在する透明な磁気記録媒体Ｓが形成されている。
フィルムＦの先（後）端部分の磁気記録媒体Ｓ１には、カートリッジＩＤ、フィルム種、感度、現像日等のフィルムＦ全体にかかる情報が磁気記録され、各コマ領域の磁気記録媒体Ｓ２には、撮影日時、撮影時のストロボ発光の有無、タイトル等の各コマ毎の情報が記録される。また、基本的に、磁気記録媒体Ｓの幅方向の一方側にはカメラ関係の情報が、他方にはラボ関係の情報が、それぞれ記録される。
なお、図中の符号４６は、フィルムＦを収納するカートリッジ本体で、符号Ｐは、フィルムＦを搬送（送り出し、巻き戻し）するためのパーフォレションホールである。
【００２４】
本発明の画像処理方法において、この各コマ領域の磁気記録媒体Ｓ２は、撮影された画像のシーンを示すをシーン情報の付与手段の１つとして利用され、必要に応じて、撮影時にカメラの磁気記録手段によってシーン情報を記録される。
また、新写真システムのフィルムＦに対応するキャリア３０には、磁気記録媒体Ｓに記録された情報を読み取り、また、必要な情報を記録する磁気ヘッド４２および４２が配置される。読み取りに供されるコマの磁気記録媒体Ｓ２にシーン情報が記録されていれば、磁気ヘッド４２がそれを読み取り、スキャナ１２から画像処理装置１４に送られる。
【００２５】
さらに、通常の１３５サイズのフィルムや、新写真システムのフィルムに限らず、フィルムには、フィルム種、感度、コマ番号等を表す、ＤＸコード、拡張ＤＸコード、ＦＮＳコード等のバーコードが記録されている。
キャリア３０の磁気ヘッド４２とマスク４０との間には、これらのバーコードを光学的に読み取るためのコードリーダ４４が配置される。なお、このようなフィルムに記録されたバーコードを読み取るコードリーダは、新写真システムのキャリア３０に限らず、通常の（フィルム）キャリアであれば配置されている。
【００２６】
本発明の画像処理方法においては、フィルムの各コマの画像領域外に、シーン情報をバーコードや光学的に読取可能な記号として光学的に記録して、コードリーダ４４等を用いてシーン情報を読み取り、スキャナ１２から画像処理装置１４に送ってもよい。
なお、フィルムへのシーン情報の記録方法には特に限定はなく、例えば、各種のカメラに配置されるフィルムへの日付の記録手段と同様に、撮影時等に液晶ディスプレイ等を用いて焼き込めばよい。
【００２７】
このようなシーン情報には特に限定はなく、例えば、人物、花、風景、夜景、室内、花火、雪、夕日、静物等が例示され、さらに、人物（逆光）、人物（近接）、風景（海）、風景（山）、室内（蛍光灯）、室内（タングステンランプ）等、より細かな設定としてもよい。
シーン情報は、シーン情報（シーン情報の分類データ値）と画像内容とを対応付けて規格化してもよく、顧客がシーン情報を任意に設定して画像内容と対応付けてラボ店等に登録してもよく、あるいは、両者を併用してもよい。また、規格化する際には、カメラメーカー等で規格を統一するのが好ましい。
さらに、シーン情報は、数字やアルファベットでＩＤ化しておき、フィルムへのＩＤ情報の付与（入力作業）を容易にするのが好ましい。
【００２８】
本発明の画像処理方法を利用するフォトプリンタ１０においては、このシーン情報に応じて画像処理条件を設定する。この点に関しては、後に詳述する。
また、１コマ（１画像）に付与するシーン情報は、１つに限定はされない。
【００２９】
前述のように、読取光はキャリア３０に保持されたフィルムＦを透過して画像を担持する投影光となり、この投影光は、結像レンズユニット３２によってイメージセンサ３４の受光面に結像される。
図２（Ｂ）に示されるように、イメージセンサ３４は、Ｒ画像の読み取りを行うラインＣＣＤセンサ３４Ｒ、Ｇ画像の読み取りを行うラインＣＣＤセンサ３４Ｇ、およびＢ画像の読み取りを行うラインＣＣＤセンサ３４Ｂを有する、いわゆる３ラインのカラーＣＣＤセンサで、各ラインＣＣＤセンサは、前述のように主走査方向に延在している。フィルムＦの投影光は、このイメージセンサ３４によって、Ｒ、ＧおよびＢの３原色に分解されて光電的に読み取られる。
イメージセンサ３４の出力信号は、アンプ３６で増幅され、Ａ／Ｄ変換器３８でデジタル信号とされて、画像処理装置１４に送られる。
【００３０】
スキャナ１２においては、フィルムＦに撮影された画像の読み取りを、低解像度で読み取るプレスキャンと、出力画像の画像データを得るための本スキャンとの、２回の画像読取で行う。
プレスキャンは、スキャナ１２が対象とする全てのフィルムの画像を、イメージセンサ３４が飽和することなく読み取れるように、あらかじめ設定された、プレスキャンの読取条件で行われる。一方、本スキャンは、プレスキャンデータから、その画像（コマ）の最低濃度よりも若干低い濃度でイメージセンサ３４が飽和するように、各コマ毎に設定された本スキャンの読取条件で行われる。
プレスキャンと本スキャンの出力信号は、解像度と出力レベルが異なる以外は、基本的に同じデータである。
【００３１】
なお、本発明の画像処理方法にかかるフォトプリンタにおいて、スキャナは、このようなスリット走査によるものに限定はされず、１コマの画像の全面を一度に読み取る、面露光を利用するものであってもよい。
この場合には、例えば、エリアＣＣＤセンサを用い、光源とフィルムＦとの間に、Ｒ、ＧおよびＢの各色フィルタの挿入手段を設け、色フィルタを挿入してエリアＣＣＤセンサで画像を読み取ることを、Ｒ、ＧおよびＢの各色フィルタで順次行い、フィルムに撮影された画像を３原色に分解して順次行う。
【００３２】
本発明の画像処理方法において、画像データ供給源は図示例のようなフィルムを読み取るスキャナ１２に限定はされず、例えば、反射原稿を読み取るスキャナ、デジタルカメラやデジタルビデオカメラ等の撮像デバイス、インターネットやローカルエルアネットワーク等のコンピュータ通信、ＭＯディスク等の記録媒体（媒体の記録読出手段）等が例示される。
これらの画像データ供給源において、シーン情報は、例えば、画像ファイルのヘッダ等に記録して付与すればよい。
【００３３】
前述のように、スキャナ１２から出力されたデジタル信号（画像データ供給源から供給された画像データ）は、画像処理装置１４（以下、処理装置１４とする）に出力される。
図４に処理装置１４のブロック図を示す。処理装置１４は、データ処理部４８、Ｌｏｇ変換器５０、プレスキャン（フレーム）メモリ５２、本スキャン（フレーム）メモリ５４、プレスキャン処理部５６、本スキャン処理部５８、および条件設定部６０を有して構成される。
なお、図４は、主に画像処理関連の部位を示すものであり、処理装置１４には、これ以外にも、処理装置１４を含むフォトプリンタ１０全体の制御や管理を行うＣＰＵ、フォトプリンタ１０の作動等に必要な情報を記憶するメモリ等が配置され、また、操作系１８やディスプレイ２０は、このＣＰＵ等（ＣＰＵバス）を介して各部位に接続される。
【００３４】
スキャナ１２から出力されたＲ，ＧおよびＢの各デジタル信号は、データ処理部４８において、暗時補正、欠陥画素補正、シェーディング補正等の所定のデータ処理を施された後、Ｌｏｇ変換器５０によって変換されてデジタルの画像データ（濃度データ）とされ、プレスキャンデータはプレスキャンメモリ５２に、本スキャンデータは本スキャンメモリ５４に、それぞれ記憶（格納）される。
プレスキャンメモリ５２に記憶されたプレスキャンデータは、画像データ処理部６２（以下、処理部６２とする）と画像データ変換部６４とを有するプレスキャン処理部５６に、他方、本スキャンメモリ５４に記憶された本スキャンデータは、画像データ処理部６６（以下、処理部６６とする）と画像データ変換部６８とを有する本スキャン処理部５８に読み出される。
【００３５】
プレスキャン処理部５６の処理部６２と、本スキャン処理部５８の処理部６６は、後述する条件設定部６０が設定した処理条件に応じて、スキャナ１２によって読み取られた画像（画像データ）に、所定の画像処理を施す部位である。
この処理部６２および処理部６６は、解像度が異なる以外は、基本的に同じ処理を行うものであるので、以下の説明は、処理部６６を代表例として行う。
【００３６】
処理部６６（６２）は、基本的に、第１処理ブロック６６Ａ（６２Ａ）、第２処理ブロック６６Ｂ（６２Ｂ）、および第３処理ブロック６６Ｃ（６２Ｃ）を有して構成される。
第１処理ブロック６６Ａは、グレイバランス調整、階調補正、および濃度（明るさ）調整等を行う部位である。これらの各処理は、それぞれの調整や補正を行うＬＵＴ（ルックアップテーブル）を用いて、好ましくは、これらのＬＵＴをカスケードして、画像データをＬＵＴで順次処理することによって行われる。
第２処理ブロック６６Ｂは、ストロボ撮影や蛍光灯下での撮影等の撮影光源種補正を含めた、画像の彩度調整（色調整）を、マトリクス（ＭＴＸ）演算によって行う部位である。
第３処理ブロック６６Ｃは、それ以外の、電子変倍処理、覆い焼き処理（濃度ダイナミックレンジの圧縮／伸長）、シャープネス（鮮鋭化）処理等を行うものであり、ローパスフィルタ、加算器、ＬＵＴ、ＭＴＸ等を用い、平均化処理や補間演算等による公知の手段で、これらの各処理を行う。
これらの各処理ブロックにおける画像処理条件は、後述する条件設定部６０において設定される。
【００３７】
画像データ変換部６８は、処理部６６によって処理された画像データを、例えば、３Ｄ（三次元）−ＬＵＴ等を用いて変換して、プリンタ１６による画像記録に対応する画像データとしてプリンタ１６に供給する。
画像データ変換部６４は、処理部６２によって処理された画像データを、必要に応じて間引いて、同様に、３Ｄ−ＬＵＴ等を用いて変換して、ディスプレイ２０による表示に対応する画像データにしてディスプレイ２０に表示させるものである。
両者における処理条件は、後述する条件設定部６０で設定される。
【００３８】
条件設定部６０は、プレスキャン処理部５６および本スキャン処理部５８において施す画像処理を決定し、その処理条件を設定する。
この条件設定部６０は、セットアップ部７２、キー補正部７４、パラメータ統合部７６、および処理情報記憶部７０とを有して構成される。
【００３９】
セットアップ部７２は、プレスキャンデータ等を用いて、本スキャンの読取条件を設定してスキャナ１２に供給し、また、プレスキャン処理部５６および本スキャン処理部５８の画像処理条件を作成（演算）し、パラメータ統合部７６に供給する。
具体的には、セットアップ部７２は、プレスキャンメモリ５２からプレスキャンデータを読み出し、プレスキャンデータから、濃度ヒストグラムの作成や、平均濃度、ハイライト（最低濃度）、シャドー（最高濃度）等の画像特徴量の算出を行い、本スキャンの読取条件を決定し、また、濃度ヒストグラムや画像特徴量に加え、必要に応じて行われるオペレータによる指示等に応じて、グレイバランス調整、階調補正および濃度調整を行うＬＵＴの作成、ＭＴＸ演算式の作成、鮮鋭度補正係数の算出等、プレスキャン処理部５６および本スキャン処理部５８における各種の画像処理条件を設定する。
【００４０】
ここで、本発明の画像処理方法を利用するフォトプリンタ１０においては、そのコマ（画像）がフィルムにシーン情報を記録されたものである場合や、デジタルカメラ等から出力されたシーン情報を付与された画像データである場合には、前述の処理部６６（６２）における画像処理条件は、シーン情報に応じて、そのシーンの画像が適正に仕上がるように予め定められた条件となるように設定される。すなわち、シーン情報に応じて画像処理アルゴリズムを切り替える。
図示例において、セットアップ部７２には、シーン情報に応じた画像処理条件の情報を記憶している処理情報記憶部７０が接続されている。また、スキャナ１２のキャリア３０（磁気ヘッド４２）で読み取られた情報は、セットアップ部７２にも供給される。セットアップ部７２は、供給された磁気情報から、そのコマがシーン情報を付与（フィルムＦに記録）されたものであることを検出すると、そのシーン情報に応じた画像処理条件の情報を処理情報記憶部７０から読み出し、それに応じて画像処理条件を設定する。
【００４１】
シーン情報に応じた画像処理条件には特に限定はなく、各種のシーンに応じて、出力されたプリントに再生された画像が好適に仕上がるように、適宜設定すればよい。
例えば、シーン情報として『人物』が付与された場合には、セットアップ部７２は顔抽出を行って、人物の顔を抽出し、特に、この顔領域の肌色が美しく仕上がるように、各種の画像処理条件、例えば、顔領域の濃度が適正となるように画像全体の濃度を制御し、また、第２処理ブロック６６Ｂにおける彩度補正のＭＴＸ演算式を設定し、さらに、顔領域の覆い焼きを行うように、第３処理ブロック６６ＣのＬＵＴ等を制御する。なお、顔抽出方法には特に限定はなく、公知の顔抽出アルゴリズムを用いればよい。具体的には、特開平９−１３８４７０号公報に開示される、特定色（肌色）を抽出する方法、特定形状パターンを抽出する方法、背景に相当すると推定される領域を除去する方法等、複数の異なる主要部抽出方法を予め評価して重みを定め、各抽出方法で主要部を抽出して、抽出された主要部を定めた重みで重み付けし、その結果に応じた主要部を判定して抽出する方法が例示される。また、これ以外にも、特開平４−３４６３３３号、同５−１５８１６４号、同５−１６５１２０号、同６−１６０９９３号、同８−１８４９２５号、同９−１０１５７９号、同９−１３８４７１号等の各公報に開示される方法も、好適に利用可能である。
【００４２】
また、シーン情報として『花』が付与された場合には、セットアップ部は、彩度の高い領域を抽出し、この領域の彩度を強調して鮮やかな絵柄となるように、彩度補正のＭＴＸ演算式等を設定する。
シーン情報として『風景』が付与された場合には、光源種補正を行わず、かつ緑や空が美しく仕上がるように、グレーバランス補正テーブルや彩度補正のＭＴＸ演算式等を設定する。
シーン情報として『夜景』や『花火』が付与された場合には、コントラストの高い明暗を強調した画像となるように、階調補正テーブル等を設定する。
さらに、シーン情報として『室内』が付与された場合には、光源種補正を強めに掛けるように彩度補正のＭＴＸ演算式等を設定する。
【００４３】
本発明の画像処理方法においては、このようなシーン情報に応じた画像処理アルゴリズムをユニットとして複数用意しておき、画像に付与されたシーン情報に応じて処理を実行する。
また、シーン情報に応じた、複数の画像処理アルゴリズムの組み合わせ（あるいは処理のｏｎ／ｏｆｆ）や、その重み付けを決定しておき、付与されたシーン情報に応じて処理を実行してもよい。
【００４４】
キー補正部７４は、キーボード１８ａに設定された濃度（明るさ）、色、コントラスト、シャープネス、彩度等を調整するキーやマウス１８ｂで入力された各種の指示等に応じて、画像処理条件の調整量（例えば、ＬＵＴの補正量等）を算出し、パラメータ統合部７６に供給するものである。
パラメータ統合部７６は、セットアップ部７２が設定したＬＵＴやＭＴＸ演算式等の画像処理条件を受け取り、これらをプレスキャン処理部５６および本スキャン処理部５８に設定し、さらに、キー補正部７４で算出された調整量に応じて、各部位に設定した画像処理条件を補正（調整）し、あるいは画像処理条件を再設定する。
【００４５】
ところで、新写真システムで同時プリントを依頼すると、フィルムＦに撮影された全コマの画像を１枚のプリントに再生したインデックスプリントが添付される。また、通常の１３５フィルムでも、サービスとして同様のインデックスプリントを添付するラボ店も増えている。
本発明の画像処理方法においては、各コマに付与されたシーン情報を用いて、インデックスプリントを編集してもよい。このような処理を行うことにより、撮影画像を撮影者の任意に分類することができ、プリント（画像ファイル）整理の便を向上できる。
【００４６】
例えば、図５（ａ）に示されるように、シーン情報を付与された１本あるいは複数（Ｎ）本のフィルムのプリント作成を依頼された際に、各コマをシーン情報に応じて分類（図示例では、が人物、が花、が風景……と分類）してグループ化し、図５（ｂ）に示されるように、グループ毎に異なるインデックスプリントを出力してもよい。なお、インデックスプリントへの分類およびカートリッジ１Ｄの表示は、バックプリントでもよい。
また、同じグループの画像が１つの集合あるいは連続的に配列されるように編集をして、１枚あるいは複数枚のインデックスプリントを出力してもよい。
【００４７】
あるいは、シーン情報の代わりに、撮影日や撮影時間（午前と午後等）を用いて各コマを分類してグループ化してもよく、撮影者のデータを用いて各コマを分類してグループ化してもよい。撮影者のデータを用いる際には、カメラへの入力や撮影者ＩＤカードのカメラへのセット等を用いて、フィルム毎あるいはコマ毎に、フィルムに撮影者のＩＤ情報を、新写真システムのフィルムに磁気情報したり、フィルムに光学的に焼き付ければよい。
また、撮影倍率、ストロボ発光の有無等の撮影（カメラ）情報や、画像特徴量等を用いて分類を行ってもよい。例えば、撮影倍率やシーンの明るさ（平均濃度など）等の閾値を段階的に設定して、それに応じて各コマを分類してグループ化してもよい。
さらに、撮影日や時間、撮影倍率等に応じて、グループ内の配列順序を決定するパラメータを指定できるようにしてもよい。
【００４８】
なお、このような分類およびグループ化、編集は、画像データをフロッピーディスク等の磁気記録媒体、ＭＯディスク等の光磁気記録媒体、ＣＤ−ＲＯＭ等の光記録媒体等の各種の記録媒体に出力する際にも、極めて有効である。
【００４９】
以下、スキャナ１２および処理装置１４の作用を説明することにより、本発明の画像処理方法について、より詳細に説明する。
【００５０】
図示例のフィルムＦは新写真システムに対応するものであるので、撮影者（プリント作成の依頼者）は、例えばカメラに設けられる磁気情報の入力手段によって、撮影時に、フィルムＦの各コマの磁気記録媒体Ｓ２にシーン情報を磁気記録する。
【００５１】
このフィルムＦのプリント作成を依頼されたオペレータは、フィルムＦに対応するキャリア３０をスキャナ１２に装填し、キャリア３０の所定位置にフィルムＦ（カートリッジ）をセットし、作成するプリントサイズ等の必要な指示を入力した後に、プリント作成開始を指示する。
これにより、スキャナ１２の可変絞り２４の絞り値やイメージセンサ（ラインＣＣＤセンサ）３４の蓄積時間がプレスキャンの読取条件に応じて設定され、その後、キャリア３０がフィルムＦをカートリッジから引き出して、プレスキャンに応じた速度で副走査方向に搬送して、プレスキャンが開始され、前述のように所定の読取位置において、フィルムＦがスリット走査されて投影光がイメージセンサ３４に結像して、フィルムＦに撮影された画像がＲ，ＧおよびＢに分解されて光電的に読み取られる。
また、このフィルムＦの搬送の際に、磁気ヘッド４２によって磁気記録媒体Ｓに記録された磁気情報が読み出され、また、コードリーダ４４によってＤＸコード等のバーコードが読まれ、必要な情報が所定の部位に送られる。本例においては、磁気記録媒体Ｓ２に記録された磁気情報から各コマのシーン情報が検知され、セットアップ部７２に供給される。
【００５２】
なお、本発明においては、プレスキャンおよび本スキャンは、１コマずつ行ってもよく、全コマあるいは所定の複数コマずつ、連続的にプレスキャンおよび本スキャンを行ってもよい。以下の例では、説明を簡潔にするために、１コマの画像読取を例に説明を行う。
【００５３】
プレスキャンによるイメージセンサ３４の出力信号は、アンプ３６で増幅されて、Ａ／Ｄ変換器３８に送られ、デジタル信号とされる。
デジタル信号は、処理装置１４に送られ、データ処理部４８で所定のデータ処理を施され、Ｌｏｇ変換器５０でデジタルの画像データであるプレスキャンデータとされ、プレスキャンメモリ５２に記憶される。
【００５４】
プレスキャンメモリ５２にプレスキャンデータが記憶されると、条件設定部６０のセットアップ部７２がこれを読み出し、濃度ヒストグラムの作成、ハイライトやシャドー等の画像特徴量の算出等を行い、本スキャンの読取条件を設定してスキャナ１２に供給する。
【００５５】
また、セットアップ部７２は、画像処理条件も設定するが、前述のように、セットアップ部７２には、スキャナ１２（キャリア３０）から、フィルムＦから読み取られた磁気情報が供給されているので、セットアップ部７２は、磁気情報からシーン情報を検知し、処理情報記憶部７０からシーン情報に応じた画像処理条件の情報を読み出し、この情報に応じて、濃度ヒストグラムや算出した画像特徴量を用い、さらに、必要に応じて行われるオペレータの指示を加味して、処理部６６の第１、第２および第３の各処理ブロックにおける画像処理条件を設定し、パラメータ統合部７６に供給する。
例えば、シーン情報として『人物』が付与された場合には、セットアップ部７２は、顔抽出を行って、顔領域の肌色が美しく仕上がるように、全体の濃度調整、第２処理ブロック６６Ｂに設定する彩度補正のＭＴＸ演算式、第３処理ブロック６６Ｃにおける覆い焼き処理の条件等を初めとした、各画像処理の条件を設定する。
パラメータ統合部７６は、受け取った画像処理条件をプレスキャン処理部５６および本スキャン処理部５８の所定部位（ハードウエア）に設定する。
【００５６】
検定を行う場合には、プレスキャンデータが処理部６２によってプレスキャンメモリ５２から読み出され、処理部６２の各処理ブロック処理され、次いで、画像データ変換部６４で変換され、シミュレーション画像としてディスプレイ２０に表示される。
オペレータは、ディスプレイ２０の表示を見て、画像すなわち処理結果の確認（検定）を行い、必要に応じて、キーボード１８ａに設定された調整キー等を用いて色、濃度、階調等を調整する。
この調整の入力は、キー補正部７４に送られ、キー補正部７４は調整入力に応じた画像処理条件の補正量を算出し、これをパラメータ統合部７６に送る。パラメータ統合部７６は、送られた補正量に応じて、前述のように、処理部６２および６６のＬＵＴやＭＴＸ等を補正する。従って、この補正すなわちオペレータによる調整入力に応じて、ディスプレイ２０に表示される画像も変化する。
【００５７】
オペレータは、このコマの画像が適正（検定ＯＫ）であると判定すると、キーボード１８ａ等を用いてプリント開始を指示する。これにより、画像処理条件が確定し、スキャナ１２において可変絞り２４の絞り値等が設定された本スキャンの読取条件に応じて設定されると共に、キャリア３０が本スキャンに対応する速度でフィルムＦを搬送し、本スキャンが開始される。
なお、検定を行わない場合には、パラメータ統合部７６による本スキャン処理部５８の処理部６６への画像処理条件の設定を終了した時点で画像処理条件が確定し、本スキャンが開始される。
【００５８】
本スキャンは、可変絞り２４の絞り値等の読取条件が設定された本スキャンの読取条件となる以外はプレスキャンと同様に行われ、イメージセンサ３４からの出力信号はアンプ３６で増幅されて、Ａ／Ｄ変換器３８でデジタル信号とされ、処理装置１４のデータ処理部４８で処理されて、Ｌｏｇ変換器５０で本スキャンデータとされ、本スキャンメモリ５４に送られる。
本スキャンデータが本スキャンメモリ５４に送られると、本スキャン処理部５８によって読み出され、処理部６６の各処理ブロックで確定した画像処理条件で画像処理され、次いで、画像データ変換部６８で変換されて出力用の画像データとされ、プリンタ１６に出力される。
【００５９】
プリンタ１６は、供給された画像データに応じて感光材料（印画紙）を露光して潜像を記録するプリンタ（焼付装置）と、露光済の感光材料に所定の処理を施してプリントとして出力するプロセサ（現像装置）とを有して構成される。
プリンタでは、例えば、感光材料をプリントに応じた所定長に切断した後に、バックプリントを記録し、次いで、感光材料の分光感度特性に応じたＲ露光、Ｇ露光およびＢ露光の３種の光ビームを処理装置１４から出力された画像データに応じて変調して主走査方向に偏向すると共に、主走査方向と直交する副走査方向に感光材料を搬送することにより、前記光ビームで感光材料を２次元的に走査露光して潜像を記録し、プロセサに供給する。感光材料を受け取ったプロセサは、発色現像、漂白定着、水洗等の所定の湿式現像処理を行い、乾燥してプリントとし、フィルム１本分等の所定単位に仕分して集積する。
【００６０】
以上、本発明の画像処理方法および画像処理装置について詳細に説明したが、本発明は上記実施例に限定はされず、本発明の要旨を逸脱しない範囲において、各種の改良および変更を行ってもよいのはもちろんである。
【図面の簡単な説明】
【００６１】
【図１】本発明の画像処理方法の一例を利用するデジタルフォトプリンタのブロック図である。
【図２】（Ａ）は、図１に示されるデジタルフォトプリンタに装着されるキャリアを説明するための概略斜視図、（Ｂ）は図１に示されるデジタルフォトプリンタのイメージセンサの概念図である。
【図３】新写真システムのフィルムの概略図である。
【図４】図１に示されるデジタルフォトプリンタの画像処理装置のブロック図である。
【図５】（ａ）および（ｂ）は、本発明の画像処理方法を利用したインデックスプリントの作成方法を説明するための概念図である。
【符号の説明】
【００６２】
１０  （デジタル）フォトプリンタ
１２  スキャナ
１４  （画像）処理装置
１６  プリンタ
１８  操作系
２０  ディスプレイ
２２  光源
２４  可変絞り
２８  拡散ボックス
３０  キャリア
３２  結像レンズユニット
３４  イメージセンサ
３４Ｒ，３４Ｇ，３４Ｂ  ラインＣＣＤセンサ
３６  アンプ
３８  Ａ／Ｄ変換器
４０  マスク
４２  磁気ヘッド
４４  コードリーダ
４８  データ処理部
５０  Ｌｏｇ変換器
５２  プレスキャン（フレーム）メモリ
５４  本スキャン（フレーム）メモリ
５６  プレスキャン処理部
５８  本スキャン処理部
６０  条件設定部
６２，６６  （画像データ）処理部
６２Ａ，６６Ａ  第１処理ブロック
６２Ｂ，６６Ｂ  第２処理ブロック
６２Ｃ，６６Ｃ  第３処理ブロック
６４，６８  画像データ変換部
７０  処理情報記憶部
７２  セットアップ部
７４  キー補正部
７６  パラメータ統合部
Ｓ  磁気記録媒体
【図１】
2005025779.tif 000003
【図２】
2005025779.tif 000004
【図３】
2005025779.tif 000005
【図４】
2005025779.tif 000006
【図５】
2005025779.tif 000007